(57)【要約】【課題】会議における議論全体のプ口セスを一覧化したり、個人の意見の変遷を時間軸上に一覧化したりすることが可能な電子会議支援システム及び電子会議支援方法を提供すること。【解決手段】会議参加者が共有する会議画面に基づいて、前記会議参加者の意見を入力する入力手段（１１４、１２１）と、前記意見と、前記意見と関連付けられた関連情報とを記憶する記憶手段１３０と、前記記憶された前記意見と前記関連情報とに基づいて、会議のプロセスや、個人の意見の変遷を表示する表示手段２００とを備えた。【選択図】      図１
2006092364.tif 000002
【特許請求の範囲】
【請求項１】
会議参加者が共有する会議画面に基づいて、前記会議参加者の意見を入力する入力手段と、
前記意見と、前記意見と関連付けられた関連情報とを記憶する記憶手段と、
前記記憶された前記意見と前記関連情報とに基づいて、会議のプロセスや、個人の意見の変遷を表示する表示手段とを具備することを特徴とする電子会議支援システム。
【請求項２】
請求項１に記載の電子会議支援システムにおいて、
前記会議画面を複数の領域に分割し、前記各領域に表題を付与する手段を更に備え、
前記記憶手段は、前記関連情報として、前記複数の領域をそれぞれ位置の座標として記憶すると共に、前記表題を併せて記憶し、更に、前記意見の貼り付け位置と、前記意見を特定可能な識別文字列と、意見の投稿日時とを記憶し、
前記表示手段は、前記会議画面の複数の領域の指定された位置に前記意見を電子付箋紙として表示すると共に、前記複数の領域毎に集計された意見の数を時間経過に応じて表示することを特徴とする電子会議支援システム。
【請求項３】
請求項１に記載の電子会議支援システムにおいて、
前記記憶手段は、前記関連情報として、前記意見を特定可能な識別文字列と、前記意見を入力した前記会議参加者を特定できる識別文字列と、意見の投稿日時とを記憶し、
前記表示手段は、前記意見を表示すると共に、時系列で収集された個人の意見に関する情報を表示することを特徴とする電子会議支援システム。
【請求項４】
請求項３に記載の電子会議支援システムにおいて、
前記会議画面を複数の領域に分割し、前記各領域に表題を付与する手段を更に備え、
前記記憶手段は、前記関連情報として、前記複数の領域をそれぞれ位置の座標として記憶すると共に、前記表題を併せて記憶し、更に、前記意見の貼り付け位置と、前記意見を特定可能な識別文字列とを記憶し、
前記表示手段は、前記会議画面の複数の領域の指定された位置に前記意見を電子付箋紙として表示すると共に、前記複数の領域毎に集計された意見の数を時間経過に応じて表示することを特徴とする電子会議支援システム。
【請求項５】
請求項２又は請求項４に記載の電子会議支援システムにおいて、前記表示手段は、前記意見が貼り付けられた領域の表題を表示することを特徴とする電子会議支援システム。
【請求項６】
請求項１に記載の電子会議支援システムにおいて、
前記会議画面を複数の領域に分割し、前記各領域に表題を付与する手段を更に備え、
前記入力手段は、会議参加者が付箋紙等の紙片に書き込んだ意見を取得するための手段を備え、
前記記憶手段は、前記関連情報として、前記複数の領域をそれぞれ位置の座標として記憶すると共に、前記表題を併せて記憶し、更に、前記意見を特定可能な識別文字列と、意見の投稿日時とを記憶し、
前記表示手段は、前記複数の領域における前記意見の貼り付け位置に基づいて集計された意見の数を時間経過に応じて表示することを特徴とする電子会議支援システム。
【請求項７】
請求項１に記載の電子会議支援システムにおいて、
前記入力手段は、会議参加者が付箋紙等の紙片に書き込んだ意見を取得するための手段を備え、
前記記憶手段は、前記関連情報として、前記意見を特定可能な識別文字列と、前記意見を入力した前記会議参加者を特定できる識別文字列と、意見の投稿日時とを記憶し、
前記表示手段は、前記意見を表示すると共に、時系列で収集された個人の意見に関する情報を表示することを特徴とする電子会議支援システム。
【請求項８】
請求項７に記載の電子会議支援システムにおいて、
前記会議画面を複数の領域に分割し、前記各領域に表題を付与する手段を更に備え、
前記記憶手段は、前記関連情報として、前記複数の領域の位置と、前記表題とを記憶し、更に、前記意見の貼り付け位置と、前記意見を特定可能な識別文字列とを記憶し、
前記表示手段は、前記意見と共にその意見が貼り付けられた領域の表題も併せて表示することを特徴とする電子会議支援システム。
【請求項９】
請求項２から請求項８のいずれか１項に記載の電子会議支援システムにおいて、前記会議画面は複数であり、前記会議画面の数に応じた会議室が存在することを特徴とする電子会議支援システム。
【請求項１０】
請求項９に記載の電子会議支援システムにおいて、
前記記憶手段は、前記複数の会議画面のそれぞれを特定可能な識別文字列を、会議参加者の意見に関連して記憶し、
前記表示手段は、前記複数の会議室からある特定の会議参加者の意見を収集して、前記会議参加者の意見全てを表示することを特徴とする電子会議支援システム。
【請求項１１】
会議参加者が共有する会議画面に基づいて、前記会議参加者の意見を入力するステップと、
前記意見と、前記意見と関連付けられた関連情報とを記憶するステップと、
前記記憶された前記意見と前記関連情報とに基づいて、会議のプロセスや、個人の意見の変遷を表示するステップとを具備することを特徴とする電子会議支援方法。
【請求項１２】
請求項１１に記載の電子会議支援方法において、
前記会議画面を複数の領域に分割し、前記各領域に表題を付与するステップを更に備え、
前記記憶するステップは、前記関連情報として、前記複数の領域をそれぞれ位置の座標として記憶すると共に、前記表題を併せて記憶し、更に、前記意見の貼り付け位置と、前記意見を特定可能な識別文字列と、意見の投稿日時とを記憶するステップを含み、
前記表示するステップは、前記会議画面の複数の領域の指定された位置に前記意見を電子付箋紙として表示すると共に、前記複数の領域毎に集計された意見の数を時間経過に応じて表示するステップを含むことを特徴とする電子会議支援方法。
【請求項１３】
請求項１１に記載の電子会議支援方法において、
前記記憶するステップは、前記関連情報として、前記意見を特定可能な識別文字列と、前記意見を入力した前記会議参加者を特定できる識別文字列と、意見の投稿日時とを記憶するステップを含み、
前記表示するステップは、前記意見を表示すると共に、時系列で収集された個人の意見に関する情報を表示するステップを含むことを特徴とする電子会議支援方法。
【請求項１４】
請求項１１に記載の電子会議支援方法において、
前記会議画面を複数の領域に分割し、前記各領域に表題を付与するステップを更に備え、
前記入力するステップは、会議参加者が付箋紙等の紙片に書き込んだ意見を取得するためのステップを含み、
前記記憶するステップは、前記関連情報として、前記複数の領域をそれぞれ位置の座標として記憶すると共に、前記表題を併せて記憶し、更に、前記意見を特定可能な識別文字列と、意見の投稿日時とを記憶するステップを含み、
前記表示するステップは、前記複数の領域における前記意見の貼り付け位置に基づいて集計された意見の数を時間経過に応じて表示するステップを含むことを特徴とする電子会議支援方法。
【請求項１５】
請求項１１に記載の電子会議支援方法において、
前記入力するステップは、会議参加者が付箋紙等の紙片に書き込んだ意見を取得するためのステップを含み、
前記記憶するステップは、前記関連情報として、前記意見を特定可能な識別文字列と、前記意見を入力した前記会議参加者を特定できる識別文字列と、意見の投稿日時とを記憶するステップを含み、
前記表示するステップは、前記意見を表示すると共に、時系列で収集された個人の意見に関する情報を表示するステップを含むことを特徴とする電子会議支援方法。
【請求項１６】
請求項１３又は請求項１５に記載の電子会議支援方法において、
前記会議画面は複数であり、前記会議画面の数に応じた会議室が存在し、
前記記憶するステップは、前記複数の会議画面のそれぞれを特定可能な識別文字列を、会議参加者の意見に関連して記憶するステップを含み、
前記表示するステップは、前記複数の会議室からある特定の会議参加者の意見を収集して、前記会議参加者の意見全てを表示するステップを含むことを特徴とする電子会議支援方法。
【発明の詳細な説明】
【技術分野】
【０００１】
本発明は、電子会議支援方法および電子会議支援システムに関わり、以前の会議で行われた議論のプ口セスを再生表示するための方法やシステムに関する。特に、会議内容を簡潔にまとめて伝えるためと、自分の意見の変遷を一覧するための方法やシステムに関する。
【背景技術】
【０００２】
従来では、ＢＢＳ（Ｂｕｌｌｅｔｉｎ  Ｂｏａｒｄ  Ｓｙｓｔｅｍ）等の電子掲示板システムの技術が、市民のための電子会議室として利用されている（非特許文献１及び非特許文献２参照）。このように、電子掲示板システムは、自治体での市民会議に利用されている。また、国土交通省でも、より多様な住民の意見を集約し、基本計画に盛り込む動きが見られる。多様な住民の意見を集約し、議論を重ねていくためには、実際に顔を会わせての会議が重要であるが、空間的、時間的制約が大きい。インターネット上で、上記のようなＢＢＳ等の電子掲示板システムの技術を利用することにより、これらの制約を解決することが可能である。
【０００３】
従来のＢＢＳのような電子会議システムでは、記録された全ての意見をくまなく読むことにより、会議で行われた議論のプ口セスを知ることはできるが、実際に、議論が盛んに行われている場合、全ての意見を読むことは難しい。ＢＢＳ等の利用の仕方においても、必ずしも通信網上のシステムでの議論（以下、「バーチャル会議」と称する）だけではなく、直接対面しての会議（以下、「リアル会議」と称する）と併用することで、その効果を発揮する。従って、会議全体での議論のプ口セスを概略化し、一覧化とする要望は大きい。
【０００４】
また、いくつかの会議にまたがった、個人の意見の変遷に関しても、各個人の「気づき」を促す点で必要とされている。現状のＢＢＳでは、自分の意見は書き換えたり削除したりすることが自由であり、個人の意見の変遷を時系列で一覧化し、「気づき」を促す目的に開発された技術は存在しない。
【非特許文献１】「藤沢市市民電子会議室」（ｈｔｔｐ：／／ｎｅｔ．ｃｏｍｍｕｎｉｆｙ．ｃｉｔｙ．ｆｕｊｉｓａｗａ．ｋａｎａｇａｗａ．ｊｐ／ｃｐ／ｇｕｉｄａｎｃｅ／ｔｏｐｐａｇｅ）
【非特許文献２】「大和市電子会議室」（ｈｔｔｐ：／／ｗｗｗ２．ｃｉｔｙ．ｙａｍａｔｏ．ｋａｎａｇａｗａ．ｊｐ／ｃｇｉ−ｂｉｎ／ｔｏｐ．ｃｇｉ）
【発明の開示】
【発明が解決しようとする課題】
【０００５】
本発明は、会議における議論全体のプ口セスを一覧化したり、個人の意見の変遷を時間軸上に一覧化したりすることが可能な電子会議支援システム及び電子会議支援方法を提供することを目的とする。
【課題を解決するための手段】
【０００６】
本発明では、多様な人物による、多様な意見の集約方法として、ワークショップやＫＪ法が広く利用されており、壁や模造紙のような平面に、意見を書いた付箋紙を貼り付けていく会議手法を基本とする。そして、会議終了後に、時間軸を基に、議論全体のプ口セスや、個人の意見の変遷を再生表示する。また、会議中には、そのための画像や音声等の情報を収集する。
【０００７】
本発明の一局面に係る電子会議支援システムは、会議参加者が共有する会議画面に基づいて、前記会議参加者の意見を入力する入力手段と、前記意見と、前記意見と関連付けられた関連情報とを記憶する記憶手段と、前記記憶された前記意見と前記関連情報とに基づいて、会議のプロセスや、個人の意見の変遷を表示する表示手段とを具備することを特徴とする。具体的には、以下のとおりである。
【０００８】
（１）バーチャル会議における、会議全体の議論のプ口セスの一覧化のための手段。  
各意見において、その投稿時間、貼り付け位置、投稿者、投稿内容、投稿された会議室の情報を管理する。貼り付け位置は、平面のある領域を定義されグループ化されている。ある領域に貼り付けられた意見の数を時間毎にアイコンの大きさ等で表現し、マップ化する。
【０００９】
（２）  バーチャル会議における、個人意見の変遷の一覧化のための手段。  
各意見において、その投稿時間、貼り付け位置、投稿者、投稿内容、投稿された会議室の情報を管理する。ある個人の意見だけを抽出し、その個人が時間と共に、意見を貼り付けた領域と、意見内容のポイントを表示し、マップ化する。
【００１０】
（３）  リアル会議における、会議全体の議論のプ口セスの一覧化のための手段。  
各意見において、その投稿時期、貼り付け位置、投稿者、投稿内容、投稿された会議室の情報を管理する。貼り付け位置は、平面のある領域を定義されグ。ループ化されている。ある領域に貼り付けられた意見の数を時間毎にアイコンの大きさで表現し、マップ化する。
【００１１】
（４）  リアル会議における、個人意見の変遷の一覧化のための手段、  
各意見において、その投稿時期、貼り付け位置、投稿者、投稿内容、投稿された会議室の情報を管理する。ある個人の意見だけを抽出し、その個人が時間と共に、意見を貼り付けた領域と、意見内容のポイントを表示し、マップ化する。
【００１２】
なお、本発明は、上記のようなシステムの発明に限らず、方法の発明としても成立する。
【発明の効果】
【００１３】
本発明によれば、会議における議論全体のプ口セスを一覧化し、会議を欠席した人や途中から参加する人にも概略を理解してもらうことが可能になる。特に時間が定まっていないインターネット上で開催される電子会議においては、効率的な会議の進行やトラブル減少の効果が期待できる。また、個人の意見の変遷を時間軸上に一覧化することにより、自分の意見がいつ、どうして、どのように変わったのかについて、参加者へ「気づき」を促し、市民会議のように、多様な立場から多様な意見が上がる会議における合意形成の促進が期待できる。
【発明を実施するための最良の形態】
【００１４】
図面を参照して本発明の実施の形態を説明する。  
図１は、本発明の一実施形態に係る電子会議支援システムの概略構成を示す図である。  
本発明の一実施の形態に係る電子会議支援システムは、会議情報取得ユニット１００と会議情報表示ユニット２００とを備えている。  
会議情報取得ユニット１００は、電子会議実行手段１０１と、会議室ユニット１０２と、データベース１３０と、領域意見集計手段１０４又は個人意見抽出手段１０５を備えている。なお、会議室ユニット１０２は複数であってもよく、会議室ユニット１０２が複数ある場合は、それぞれの会議室を識別し、データベースで管理するための会議室識別手段１０６を備えている。さらに、会議室ユニット１０２は、背景領域ユニット１１０と意見ユニット１２０を備えている。背景領域ユニット１１０は、領域作成手段１１１と、表題付与手段１１２と、領域記憶手段１１３を備えている。意見ユニット１２０は、意見入力手段１２１と、貼り付け位置記憶手段１２２と、意見登録手段１２３と、投稿日時記憶手段１２４と、投稿者識別手段１２５を備えている。  
会議情報表示ユニット２００は、会議画面２０１と、会議プ口セス又は個人意見変遷又は両者ともを表示する画面２０２を具備し、背景領域表示手段２１０と電子付箋紙表示手段２２０又は意見表示手段２３０と、会議プ口セス表示手段２４０又は個人意見変遷表示手段２５０を備えている。
【００１５】
図２は、図１のデータベースに格納されるデータを示す図である。会議参加者が入力した意見に付随するデータ（本明細書において、［関連情報］とも称する）として、以下の７つのデータが関連情報としてデータベース１３０に格納（記憶）される。  
（１）  意見の識別文字列（識別ＩＤ）  
（２）  投稿者（意見を入力した会議参加者）の識別文字列（識別ＩＤ）  
（３）  意見内容  
（４）  意見タイトル  
（５）  投稿日時  
（６）  貼り付け位置  
（７）  投稿した会議室識別文字列（会議室ＩＤ）  
なお、上記のデータは、詳細は後述する具体例によっては含まれないデータもある。なお、各会議室に付随するデータとして、以下の２つのデータが関連情報としてデータベース１３０に格納される。  
（１）  会議室識別文字列（会議室ＩＤ）  
（２）  背景領域の情報としての領域範囲の位置とその表題。
【００１６】
本発明の本実施形態では、会議プロセスや個人の意見の変遷を提示することにより、効率的な会議の進行やトラブルの減少をしたり、多様な立場から多様な意見が上がる会議における合意形成の促進をしたりすることができる。上記の構成から得られる会議プロセスや個人の意見の変遷の表示例を、それぞれ図３及び図４に示す。
【００１７】
図３は、会議プ口セスの表示例を示す図である。図３において、縦軸が時間軸（日付や時間）である。横軸が、会議画面又は会議平面の背景にある領域に付与された表題である。  
図３に示すように、各領域に貼り付けられた意見数は、例えば黒塗りの円の面積によって表されている。これにより、各領域に貼り付けられた意見の日付（もしくは時間）ごとの意見数の変化が一目でわかる。また。各領域に貼り付けられた意見の総数は、合計枠に表示されている。なお、意見数の表示方法は、上記のように円の面積で示す以外にも、数値であったり、それぞれの表題ごとに色を変えたり、記号で表示したりすることが可能である。
【００１８】
図４は、個人意見変遷の表示例を示す図である。この表示例では、ある特定の会議参加者の意見を時系列で表示している。  
図４に示すように、本表示例では、日付（もしくは、時間）ごとの意見のタイトルが、リスト表示されている。この場合に、リスト上の一つのタイトルを選ぶと、右側の枠に意見内容の全体が表示されるようになっている。ここで、文字でのコメントの他に写真や絵などが入力されていた場合、それらも表示される。なお、会議室が複数ある場合には、会議室ごとに個人意見をリスト表示したり、もしくは全ての会議室を通しての個人意見をリスト表示したりする。
【００１９】
以下、上記の実施形態における具体例を説明する。第１及び第２の具体例では、通信網に接続した複数のパーソナルコンピュータを利用し、システム上で会議を進める場合（以下、「バーチャルな会議」と称する）について説明し、第３及び第４の具体例では、直接対面して会議を進める場合（以下、「リアルな会議」と称する）について説明する。
【００２０】
図５に示すように、バーチャルな会議においては、通信網に接続した複数のパーソナルコンピュータを利用し、システム上で会議を進める。会議参加者は、電子会議実行手段１０１により、通信網に接続したそれぞれのパーソナルコンピュータ上で会議画面を共有する。また、各パーソナルコンピュータ画面上には、図６に示すような電子会議システム画面が表示され、この画面を通じて、各会議参加者は各種画面を表示したり、各種手段を操作したりする、
（第１の具体例）  
図７は、本発明の第１の具体例に係る電子会議支援システムの概略構成を示す図である。図７において、図１と同じ部分には、同じ符号を付している。  
会議の進行役であるコーディネータが、会議画面に背景画像として、領域作成手段１１１により、画面を分割する枠（すなわち、領域）を複数作り、表題付与手段１１２により、それぞれに表題を付ける。これらの領域と表題は、それぞれ領域記憶手段１１３によりデータベース１３０に蓄積される。なお、これらの領域や表題は、背景領域表示手段２１０により、会議画面２０１１に表示される。
【００２１】
会議参加者は、意見ユニット１２０の意見入力手段１２１により、会議画面上に自分の意見を入力する。その意見は、会議画面内のある領域内に貼り付けられ、貼り付け位置記憶手段１２２によって、画面内の位置座標の数値に変換されデータベース１３０に蓄積される。意見が貼り付けられ、その状態で確定させるために、投稿者である会議参加者は、意見登録手段１２３により、意見内容とその貼り付け位置を確定し、両者は関連付けされてデータベース１３０に蓄積される、さらに、その確定した時間が、投稿日時記憶手段１２４により、同じくデータベース１３０に、意見内容と関連付けされて蓄積される。
【００２２】
コーディネータが指定した領域と表題、また会議参加者が投稿した意見は、電子付箋紙表示手段２２０により、会議画面２０１１に表示される。そして、会議途中又は会議終了後には、領域意見集計手段１０４により、各領域の意見数が集計される。その結果は、会議プ口セス表示手段２４０により、パーソナルコンピュータの画面上に会議プ口セス表２０２１として、表示される。
【００２３】
（第２の具体例）  
図８は、本発明の第２の具体例に係る電子会議支援システムの概略構成を示す図である。図８において、図１及び図７と同じ部分には、同じ符号を付している。なお、本具体例において、第１の具体例と同じ部分は、詳細な説明を省略する。  
会議参加者は、電子会議実行手段１０１により、通信網に接続したパーソナルコンピュータ上の会議画面２０１２を共有している。会議参加者は、意見入力手段１２１により、第１の具体例と同様に、会議画面上に自分の意見を入力する。投稿者である会議参加者は、意見登録手段１２３により、意見内容を確定し、その意見はデータベース１３０に蓄積される。それと同時に、投稿日時記憶手段１２４と、投稿者識別手段１２５により、投稿した日時と投稿者を識別する文字列が、同じくデータベース１３０に関連付けされて蓄積される。このようにして、会議参加者が投稿した意見は、意見表示手段２３０により、会議画面２０１２に表示される。
【００２４】
そして、会議途中又は会議終了後には、個人意見抽出手段１０５により、ある特定の会議参加者の意見のみが抽出される。その結果は、個人意見変遷表示手段２５０により、パーソナルコンピュータの画面上に個人意見変遷の表と２０２２として、表示される。なお、表示例は、図４に示すものと同様である。
【００２５】
上記の各具体例はバーチャルな会議に本発明の一実施態様に係る電子会議支援システムを適用した具体例について説明したが、以下に、第３及び第４の具体例として、リアルな会議に本発明の一実施態様に係る電子会議支援システムを適用した具体例を説明する。  
図９にリアルな会議の様子を示す。リアルな会議においては、本発明の一実施態様に係る電子会議支援システムは、複数の参加者が直接対面した会議から情報を取得し、電子的な処理をし、会議終了後に電子会議システム又はパーソナルコンピュータの画面上で、会議の概略を表す会議プ口セスや、個人の意見の変遷を再生表示する。会議参加者は、その場の会議平面を共有する。
【００２６】
（第３の具体例）  
図１０は、本発明の第３の具体例に係る電子会議支援システムの概略構成を示す図である。図１０において、図１及び図７と同じ部分には、同じ符号を付している。  
図１０において、会議平面０１０１には、会議の進行役であるコーディネータが、背景画像として、画面を分割する枠を複数作り、それぞれに表題を付ける。そして、会議参加者は、意見入力手段により、会議平面上に自分の意見を貼り付けるようになっている。更に、図１０において、各領域と表題は、領域取得手段１１４、表題取得手段１１５により、電子処理のためシステムに取り込まれ、領域記憶手段１１３によりデータベース１３０に蓄積される。会議参加者により貼り付けられた意見は、意見取得手段１２６によってその意見内容を取り込まれ、貼り付け位置取得手段１２７によって、画面内の位置座標の数値に変換されデータベース１３０に蓄積される。意見が貼り付けられ、その状態で確定させるために、投稿者である会議参加者は、意見登録手段１２３により、意見内容とその貼り付け位置を確定し、両者は関連付けされてデータベース１３０に蓄積される。さらに、その確定した時間が、投稿日時記憶手段１２４により、同じくデータベース１３０に関連付けされて蓄積される。そして、会議途中又は会議終了後には、領域意見集計手段１０４により、各領域の意見数が集計される。その結果は、会議プ口セス表示手段２４０により、電子会議システム又はパーソナルコンピュータの画面上に会議プ口セス表２０２１として表示される。
【００２７】
（第４の具体例）  
図１１は、本発明の第４の具体例に係る電子会議支援システムの概略構成を示す図である。図１１において、図１及び図８と同じ部分には、同じ符号を付している。  
本具体例では、会議参加者は、その場の会議平面０１１を共有している。会議参加者は、会議画面上に自分の意見を会議平面０１１に貼り付ける。その意見は、意見取得手段１２６によって電子処理のためシステムに取り込まれ、意見登録手段１２３により、意見内容を確定され、それがデータベース１３０に蓄積される。それと同時に、投稿日時記憶手段１２４と、投稿者識別手段１２５により、投稿した日時と投稿者を識別する文字列が、同じくデータベース１３０に関連付けされて蓄積される。会議終了後に、個人意見抽出手段１０５により、ある特定の会議参加者の意見のみが抽出される。その結果は、個人意見変遷表示手段２５０により、電子会議システム上又はパーソナルコンピュータの画面上に個人意見変遷表２０２３として表示される。
【００２８】
なお、上記の各具体例は、それぞれ独立ものとして説明したが、上記のように別個に構成されても良いし、或いは図１に示す全体のシステムの一部として機能しても良い。更に、所望の形態に応じて、構成を変更させても良い。
【００２９】
本発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００３０】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３１】
【図１】本発明の一実施形態に係る電子会議支援システムの概略構成を示す図。
【図２】図１のデータベースに格納されるデータを示す図。
【図３】会議プ口セスの表示例を示す図。
【図４】個人意見変遷の表示例を示す図。
【図５】バーチャルな会議の様子を示す図。
【図６】電子会議システム画面図。
【図７】本発明の第１の具体例に係る電子会議支援システムの概略構成を示す図。
【図８】本発明の第２の具体例に係る電子会議支援システムの概略構成を示す図。
【図９】リアルな会議の様子を示す図。
【図１０】本発明の第３の具体例に係る電子会議支援システムの概略構成を示す図。
【図１１】本発明の第４の具体例に係る電子会議支援システムの概略構成を示す図。
【符号の説明】
【００３２】
１００…会議情報取得ユニット
１０１…電子会議実行手段
１０２…会議室ユニット
１０４…領域意見集計手段
１０５…個人意見抽出手段
１０６…会議室識別手段
１１０…背景領域ユニット
１１１…領域作成手段
１１２…表題付与手段
１１３…領域記憶手段
１１４…領域取得手段
１１５…表題取得手段
１２０…意見ユニット
１２１…意見入力手段
１２２…位置記憶手段
１２３…意見登録手段
１２４…投稿日時記憶手段
１２５…投稿者識別手段
１２６…意見取得手段
１２７…位置取得手段
１３０…データベース
２００…会議情報表示ユニット
２０１…会議画面
２１０…背景領域表示手段
２２０…電子付箋紙表示手段
２３０…意見表示手段
２４０…会議プ口セス表示手段
２５０…個人意見変遷表示手段
【図１】
2006092364.tif 000003
【図２】
2006092364.tif 000004
【図３】
2006092364.tif 000005
【図４】
2006092364.tif 000006
【図５】
2006092364.tif 000007
【図６】
2006092364.tif 000008
【図７】
2006092364.tif 000009
【図８】
2006092364.tif 000010
【図９】
2006092364.tif 000011
【図１０】
2006092364.tif 000012
【図１１】
2006092364.tif 000013